(57)【要約】  【課題】  起動直後の画面表示時間を短縮し、セット待機時の消費電力を抑えた、多方式放送対応受信装置を提供する。  【解決手段】  アナログ放送の選局、復調、映像信号処理および映像信号出力を制御する第一のＣＰＵ８と、ディジタル放送の選局、復調、復号および映像信号出力を制御する第二のＣＰＵ６と、アナログ放送の映像信号出力とディジタル放送の映像信号出力とを切り替えるスイッチ１３とを備え、セット電源投入時、第一のＣＰＵ８が、ディジタル放送より取得された電子番組情報に基づいて、スイッチ１３を切り替え、アナログ放送の映像信号を優先的に表示させる。【選択図】  図１
2005191937.tif 000002
【特許請求の範囲】
【請求項１】
アナログ放送の選局、復調、映像信号処理および映像信号出力を制御する第一の制御部と、
ディジタル放送の選局、復調、復号および映像信号出力を制御する第二の制御部と、
アナログ放送の映像信号出力とディジタル放送の映像信号出力とを切り替える映像信号切替回路とを備え、
セット電源投入時、前記第一の制御部が、ディジタル放送より取得された電子番組情報に基づいて、前記映像信号切替回路を切り替え、アナログ放送の映像信号を優先的に表示させることを特徴とする多方式対応受信装置。
【請求項２】
前記第一の制御部は、セット待機時も動作する、請求項１に記載の多方式対応受信装置。
【請求項３】
視聴者によって選局された最新の選局情報を格納する選局情報格納部をさらに備え、
セット電源投入時に、前記第一の制御部が、前記電子番組情報より抽出されるアナログ放送およびディジタル放送の放送局情報と前記選局情報とを照合して、前記選局情報の放送局と同一放送局によるアナログ放送が存在するならば、前記選局情報の放送局と同一放送局によるアナログ放送の映像信号を出力させる、請求項１または２に記載の多方式対応受信装置。
【請求項４】
前記第一の制御部が読み書き可能である選択情報格納部をさらに備え、
前記第二の制御部が、ディジタル放送より前記電子番組情報を取得し、当該電子番組情報からアナログ放送およびディジタル放送の前記放送局情報を抽出し、前記選択情報格納部に格納する、請求項３に記載の多方式受信装置。
【請求項５】
視聴者によって選局された最新の選局情報を格納する選局情報格納部をさらに備え、
セット電源投入時に、前記第一の制御部が、前記電子番組情報より抽出されるアナログ放送およびディジタル放送の同時番組情報と前記選局情報とを照合して、前記選局情報の放送局と同一の放送局によるアナログ放送の同一番組が存在するならば、前記選局情報の放送局と同一の放送局によるアナログ放送の同一番組の映像信号を出力させる、請求項１または２に記載の多方式対応受信装置。
【請求項６】
前記第一の制御部が読み書き可能である選択情報格納部をさらに備え、
前記第二の制御部が、ディジタル放送より前記電子番組情報を取得し、当該電子番組情報からアナログ放送およびディジタル放送の前記同時番組情報を抽出し、前記選択情報格納部に格納する、請求項５に記載の多方式受信装置。
【請求項７】
セット起動時、ディジタル放送の映像信号の出力が可能となるまで、前記第一の制御部が、画面上にセット起動中を意味するメッセージを表示させる、請求項１〜６のいずれかに記載の多方式対応受信装置。
【発明の詳細な説明】
【技術分野】
【０００１】
本発明は、ディジタル放送およびアナログ放送に対応した多方式対応受信装置に関するものであり、特に多方式対応受信装置の起動時間を短縮する技術に関する。
【背景技術】
【０００２】
近年、テレビ放送は従来のＮＴＳＣアナログ放送と併せて、ディジタル地上波放送や、ディジタルケーブル放送のサービスが行われている。また、ディジタル放送の番組とＮＴＳＣアナログ放送の番組とでは、同一時刻に共通の番組を放送している場合が多い。
【０００３】
しかし、ディジタル放送の受信には、アナログ放送の受信と比較して、時間がかかることが分かっている。この課題を解決するために、ディジタル放送とアナログ放送とにおいて、同一時刻に共通の番組を放送していた場合に、優先的にアナログ放送を表示することが提案されている。
【０００４】
以下、図５を用いて、従来の多方式対応受信装置の一例について説明する。図５は、従来の多方式対応受信装置の構成を表したブロック図である。
【０００５】
図５に示すように、従来の多方式対応受信装置は、ＲＦ変調波入力端子１０１を備えている。他にディジタル放送を表示するために、ディジタルチューナー１０２、ディジタル復調回路１０３、トランスポートデコーダ１０４、ディジタル復号信号処理回路１０５を備えている。また、アナログ放送を表示するために、アナログチューナー１１０、アナログ復調回路１１１と、アナログ映像信号処理回路１１２とを備えている。さらに、システム全体を制御するＣＰＵ１１４と、ディジタル放送から得られる電子番組情報（ＥＰＧ：Ｅｌｅｃｔｒｉｃ  Ｐｒｏｇｒａｍ  Ｇｕｉｄｅ）を格納する電子番組情報格納部１０７と、スイッチ１１３とを備えている。
【０００６】
次に、ディジタル放送とアナログ放送に対応する従来の多方式対応受信装置の動作について説明する。
【０００７】
ディジタルチューナー１０２から出力されたＩＦ信号は、ディジタル復調回路１０３でディジタル変調波が復調されてトランスポートデータとしてトランスポートデコーダ１０４に出力される。トランスポートデコーダ１０４では、トランスポートデータから映像データを抽出し、ディジタル復号処理回路１０５へ出力する。ディジタル復号処理回路１０５では、ＭＰＥＧデコード処理された映像データをアナログ映像信号としてスイッチ１１３へ出力する。
【０００８】
まず、ディジタル放送を受信する場合は、ＲＦ変調波入力端子１０１から入力されるＲＦ変調波を、ＣＰＵ１１４がディジタルチューナー１０２を制御してチャンネルを選局する。ディジタルチューナー１０２から出力されたＩＦ信号は、ディジタル復調回路１０３でディジタル変調波が復調されてトランスポートデータとしてトランスポートデコーダ１０４に出力される。トランスポートデコーダ１０４では、トランスポートデータから映像データを抽出し、ディジタル復号処理回路１０５へ出力する。ディジタル復号信号処理回路１０５では、ＭＰＥＧデコード処理された映像データをアナログ映像信号としてスイッチ１１３へ出力する。
【０００９】
次に、アナログ放送を受信する場合は、ＲＦ変調波入力端子１０１から入力されるＲＦ変調波を、ＣＰＵ１１４がアナログチューナー１１０を制御してチャンネルを選局する。アナログチューナー１１０から出力されたＩＦ信号は、アナログ復調回路１１１で直交検波処理を行ない、変調波からベースバンドビデオ信号に変換され、アナログ映像信号処理回路１１２へ出力される。アナログ映像信号処理回路１１２では、アナログビデオ処理されて、スイッチ１１３へ出力される。
【００１０】
ＣＰＵ１１４は、ディジタルチューナー１０２やアナログチューナー１１０の選局や、各処理回路の制御を行なうと共に、所望の映像を出力するために、スイッチ１１３を切り替える機能を有する。また、ＣＰＵ１１４は、ディジタル放送から得られる電子番組情報を電子番組情報格納部１０７に保管し、アナログ放送とディジタル放送の同時番組情報管理を行なう。
【００１１】
高速チャンネルサーチ時は、ＣＰＵ１１４は同時番組情報を保管した電子番組情報格納部１０７を参照し、同時番組が存在する場合は、アナログチューナー１１０の選局や各処理回路の制御を行なうと共に、アナログ映像を出力するために、スイッチ１１３を切り替える（例えば、特許文献１）。
【特許文献１】特開２００１−２８５７５２号公報
【発明の開示】
【発明が解決しようとする課題】
【００１２】
しかしながら、上記従来の構成では、高速チャンネルサーチ時の選局時間を短縮するものであり、セットの電源起動直後に前回選局していたチャンネルを受信して画面に表示するまでの時間は改善されない。近年の多方式対応受信装置のようなディジタル商品は、ＯＳを搭載したＣＰＵや、ディジタルＬＳＩが搭載されている。システム制御としては、ＢＯＯＴ−ＵＰ後、ＯＳをダウンロードし、圧縮されたデータを展開し、各デバイスのマイクロコードダウンロードや初期設定を行なう必要が有り、システムの起動にかなりの時間を費やす。また、ディジタルチューナー選局および映像デコードにも時間を費やしていた。そのため、前回選局していたチャンネルの映像を画面に表示するまでに、かなりの時間を費やしていた。
【００１３】
本発明は、前記従来の課題を解決するもので、起動直後の画面表示時間を短縮し、セット待機時の消費電力を抑えた、多方式放送対応受信装置を提供することを目的とする。
【課題を解決するための手段】
【００１４】
上記課題を解決するために、アナログ放送の選局、復調、映像信号処理および映像信号出力を制御する第一の制御部と、ディジタル放送の選局、復調、復号および映像信号出力を制御する第二の制御部と、アナログ放送の映像信号出力とディジタル放送の映像信号出力とを切り替える映像信号切替回路とを備え、セット電源投入時、前記第一の制御部が、ディジタル放送より取得された電子番組情報に基づいて、前記映像信号切替回路を切り替え、アナログ放送の映像信号を優先的に表示させることを特徴とする。
【発明の効果】
【００１５】
本発明の多方式放送対応受信装置によれば、起動直後の画面表示時間を短縮し、セット待機時の消費電力を抑えることができる。
【発明を実施するための最良の形態】
【００１６】
本発明にかかる多方式対応受信装置によれば、第一の制御部が、同時番組を参照することで、セット電源投入時に、画面表示に時間がかかるディジタル放送を出力させる代わりに、画面表示に時間がかからないアナログ放送の映像信号を出力するように切り替えることができる。そのため、セット電源投入後により短時間で画面を表示することができる。
【００１７】
本発明にかかる多方式対応受信装置において、前記第一の制御部は、セット待機時も動作することが好ましい。第一の制御部が、セット待機時にも動作しているため、ＯＳのダウンロード等の時間が不要になり、画面表示までの時間が短縮される。さらに、第一の制御部以外の不要な回路の電源がオフ状態であれば、セットの電源待機時の消費電力を抑えることができる。
【００１８】
本発明にかかる多方式対応受信装置において、視聴者によって選局された最新の選局情報を格納する選局情報格納部をさらに備え、セット電源投入時に、前記第一の制御部が、前記電子番組情報より抽出されるアナログ放送およびディジタル放送の放送局情報と前記選局情報とを照合して、前記選局情報の放送局と同一放送局によるアナログ放送が存在するならば、前記選局情報の放送局と同一放送局によるアナログ放送の映像信号を出力させることが好ましい。これにより、視聴者によって選局された最新の選局情報と放送局情報とを照合し、当該選局情報の放送局がアナログ放送を放送している場合は、当該選局情報の放送局のアナログ放送をディジタル放送より優先して出力することができる。
【００１９】
本発明にかかる多方式対応受信装置において、前記第一の制御部が読み書き可能である選択情報格納部をさらに備え、前記第二の制御部が、ディジタル放送より前記電子番組情報を取得し、当該電子番組情報からアナログ放送およびディジタル放送の前記放送局情報を抽出し、前記選択情報格納部に格納することが好ましい。アナログ放送およびディジタル放送の同時放送を把握するために最低限必要な放送局情報を、第一の制御部が読み書き可能である選択情報格納部に、格納することができる。これにより、電子番組情報の大量なデータを格納しておく必要は無く、選択情報格納部は小容量の記憶域であればよい。
【００２０】
本発明にかかる多方式対応受信装置において、視聴者によって選局された最新の選局情報を格納する選局情報格納部をさらに備え、セット電源投入時に、前記第一の制御部が、前記電子番組情報より抽出されるアナログ放送およびディジタル放送の同時番組情報と前記選局情報とを照合して、前記選局情報の放送局と同一の放送局によるアナログ放送の同一番組が存在するならば、前記選局情報の放送局と同一の放送局によるアナログ放送の同一番組の映像信号を出力させることが好ましい。これにより、視聴者によって選局された選局情報と同時番組情報とを照合することにより、当該選局情報の放送局の番組がアナログ放送でも放送されている場合は、当該選局情報の放送局のアナログ放送の番組を、ディジタル放送の番組より優先して出力することができる。
【００２１】
本発明にかかる多方式対応受信装置において、前記第一の制御部が読み書き可能である選択情報格納部をさらに備え、前記第二の制御部が、ディジタル放送より前記電子番組情報を取得し、当該電子番組情報からアナログ放送およびディジタル放送の前記同時番組情報を抽出し、前記選択情報格納部に格納することが好ましい。アナログ放送およびディジタル放送の同時放送を把握するために最低限必要な同時放送情報を、第一の制御部が読み書き可能である選択情報格納部に、格納することができる。これにより、電子番組情報の大量なデータを格納しておく必要は無く、選択情報格納部は小容量の記憶域であればよい。
【００２２】
本発明にかかる多方式対応受信装置において、セット起動時、ディジタル放送の映像信号の出力が可能となるまで、前記第一の制御部が、画面上にセット起動中を意味するメッセージを表示させることが好ましい。セット起動時に、第二の制御部がディジタル放送出力の準備をする間、画面上にメッセージを表示することができる。これにより、画面表示待ち時間を無くすことができる。
【００２３】
以下、本発明のさらに具体的な実施の形態について、図面を用いて説明する。
（実施の形態１）
本発明の第１の実施の形態にかかる多方式対応受信装置について説明する。
【００２４】
図１は、本発明の第１の実施の形態にかかる多方式対応受信装置の構成を示すブロック図である。
【００２５】
図１に示すように、本発明の第１の実施の形態にかかる多方式対応受信装置は、ＲＦ変調波入力端子１を備えている。さらに、ディジタル放送を表示するために、ディジタルチューナー２、ディジタル復調回路３、トランスポートデコーダ４、ディジタル復号信号処理回路５を備えている。また、アナログ放送を表示するために、アナログチューナー１０、アナログ復調回路１１と、アナログ映像信号処理回路１２とを備えている。
【００２６】
また、アナログ放送の選局、復調、映像信号処理、映像信号出力等を制御する第一のＣＰＵ８と、ディジタル放送の選局、復調、映像信号処理、映像信号出力等を制御する第二のＣＰＵ６とを備える。また、ディジタル放送から得られる電子番組情報を格納する電子番組情報格納部７と、電子番組情報から、さらに抽出した情報が格納される選局情報格納部９と、スイッチ１３とを備えている。ディジタル放送から得られる電子番組情報は、ＥＰＧ（Ｅｌｅｃｔｒｉｃ  Ｐｒｏｇｒａｍ  Ｇｕｉｄｅ）等を用いる。
【００２７】
本発明の第１の実施の形態にかかる多方式対応受信装置の動作について説明する。まず、図１に示すように、セットの電源が稼動状態である場合について、以下に説明する。
【００２８】
ディジタル放送を受信する場合は、ＲＦ変調波入力端子１から入力されるＲＦ変調波を、第二のＣＰＵ６がディジタルチューナー２を制御してチャンネルを選局する。ディジタルチューナー２から出力されたＩＦ信号は、ディジタル復調回路３でディジタル変調波が復調されてトランスポートデータとしてトランスポートデコーダ４に出力される。トランスポートデコーダ４では、トランスポートデータから映像データを抽出し、ディジタル復号処理回路５へ出力する。ディジタル復号処理回路５では、ＭＰＥＧデコード処理された映像データをアナログ映像信号としてスイッチ１３へ出力する（第２の経路）。
【００２９】
次に、アナログ放送を受信する場合は、ＲＦ変調波入力端子１から入力されるＲＦ変調波を、第一のＣＰＵ８がアナログチューナー１０を制御してチャンネルを選局する。アナログチューナー１０から出力されたＩＦ信号は、アナログ復調回路１１で直交検波処理を行ない、変調波からベースバンドビデオ信号に変換され、アナログ映像信号処理回路１２へ出力される。アナログ映像信号処理回路１２では、アナログビデオ処理されて、スイッチ１３へ出力される（第１の経路）。
【００３０】
第二のＣＰＵ６は、ディジタル放送から得られるアナログ放送およびディジタル放送を含む、全てのＥＰＧ情報を電子番組情報格納部７に保管する。第一のＣＰＵ８は、第二のＣＰＵ６と通信を行ない、電子番組情報格納部７からアナログ放送およびディジタル放送の同時番組情報や放送局情報等を取得し、選局情報格納部９に保管する。さらに、第一のＣＰＵ８は、初期設定時にアナログ放送のみを放送している局のチャンネル番号を、選局情報格納部９に保管する。
【００３１】
図２は、選局情報格納部９の構成を示した説明図である。
【００３２】
図２に示すように、選局情報格納部９は、領域９ａ〜９ｄを備えている。領域９ａは、ディジタル放送やアナログ放送の区別無く、現在選局している最新のチャンネル番号を格納する最新のチャンネル管理領域である。領域９ｂは、初期設定時に取得した、アナログ放送のみを放送している放送局のチャンネル番号を格納するアナログ放送のチャンネル番号管理領域である。領域９ｃは、電子番組情報格納部７から取得した、アナログ放送およびディジタル放送の同時番組情報等を格納する同時番組情報管理領域である。領域９ｄは、電子番組情報格納部７から取得した、放送局チャンネル番号等を格納する放送局チャンネル番号管理領域である。
【００３３】
次に、例として、ユーザーがチャンネルを選局したときの本実施形態にかかる多方式対応受信装置の動作について、図３を用いて説明する。図３は、チャンネル選局時の、システム制御動作のフローチャートである。
【００３４】
最初に、ユーザーがリモコン等で選局を行なう（ステップ２００）。
【００３５】
次に、第一のＣＰＵ８が、ユーザーによる選局指示を検知する（ステップ２０１）。
【００３６】
次に、ユーザーによって選局されたチャンネル番号は、選局情報格納部９の最新のチャンネル管理領域９ａに格納される（ステップ２０２）。また、第一のＣＰＵ８は、選局情報格納部９のアナログ放送のチャンネル番号管理領域９ｂを参照する（ステップ２０３）。
【００３７】
次に、ユーザーによって選局されたチャンネル番号が、アナログ放送のチャンネル番号管理領域９ｂに、存在しているか否かを判断する（ステップ２０４）。ステップ２０４での判断の結果、当該チャンネル番号が、アナログ放送のチャンネル番号管理領域９ｂに存在している場合（Ｙｅｓ）、当該チャンネル番号は、アナログ放送を行なっている放送局であり、ステップ２０５へと進む。ステップ２０５では、第一のＣＰＵ８が、当該チャンネル番号のアナログ放送の選局を行ない、ステップ２０６で、受信映像が画面に表示される。
【００３８】
しかし、ステップ２０４での判断の結果、ユーザーによって選曲されたチャンネル番号が、アナログ放送のチャンネル番号管理領域９ｂに存在しない場合（Ｎｏ）、当該チャンネル番号は、アナログ放送を行なっていない放送局であり、ステップ２０７へと進む。ステップ２０７では、第一のＣＰＵ８が、第二のＣＰＵ６に通信し、ディジタル放送を行なっている放送局の選局を指示する。
【００３９】
さらに、第二のＣＰＵ６は、ディジタル放送の選局を行ない（ステップ２０８）、ステップ２０９へと進む。ステップ２０９では、第二のＣＰＵ６が、ディジタル放送を受信中に映像データと共にダウンロードするＥＰＧ情報を取得し、電子番組情報格納部７に格納する。
【００４０】
次に、アナログ放送およびディジタル放送の同時番組情報や放送局情報等が、ダウンロードにより取得したＥＰＧ情報に存在しているか否かを判断する（ステップ２１０）。ステップ２１０での判断の結果、同時番組情報や放送局情報等が、ＥＰＧ情報に存在している場合（Ｙｅｓ）、ステップ２１１へと進む。ステップ２１１では、第二のＣＰＵ６が、第一のＣＰＵ８に通信して、アナログ放送とディジタル放送の同時番組情報や放送局情報等を受け渡し、ステップ２１２へ進む。ステップ２１２では、第一のＣＰＵ８は、受け取った同時番組情報を選局情報格納部９の同時番組情報管理領域９ｃに格納し、放送局情報を、選局情報格納部９の放送局チャンネル番号管理領域９ｄに格納し、ステップ２１３へ進む。ステップ２１３では、第二のＣＰＵ６が、ユーザーによって選曲されたチャンネル番号のディジタル放送の受信映像を画面に表示させる。
【００４１】
しかし、ステップ２１０での判断の結果、同時番組情報や放送局情報等が、ＥＰＧ情報に存在していない場合（Ｎｏ）、ステップ２０９へと戻る。第二のＣＰＵ６は、取得するＥＰＧ情報に、アナログ放送およびディジタル放送の同時番組情報や放送局情報等が、存在するまでの間、ステップ２０９、ステップ２１０を繰り返し、ＥＰＧ情報をモニタする。
【００４２】
次に、例として、セットの電源を投入したときの本実施形態にかかる多方式対応受信装置の動作について、図４を用いて説明する。図４は、電源立ち上げ時の、システム制御動作のフローチャートである。
【００４３】
本実施形態にかかる第一のＣＰＵ８は、セットの電源が待機状態にある際も、動作状態にありセットの電源が投入されるのをモニタしている。なお、第一のＣＰＵ８の動作は、電源供給が無い状態での動作を意味するのではなく、バッテリ等の微弱な電源により動作することを意味する。
【００４４】
最初に、ユーザーがリモコン等でセットの電源の投入を行なう（ステップ３００）。
【００４５】
次に、セットの電源の投入を検知した第一のＣＰＵ８が、選局情報格納部９の最新のチャンネル管理領域９ａを参照する（ステップ３０１）。
【００４６】
次に、最新のチャンネル管理領域９ａのチャンネル番組が、選局情報格納部９のアナログ放送のチャンネル番号管理領域９ｂに存在しているか否かを判断する（ステップ３０２）。ステップ３０２での判断の結果、当該チャンネル番号が、アナログ放送のチャンネル番号管理領域９ｂに存在している場合（Ｙｅｓ）、当該チャンネル番号は、アナログ放送であり、ステップ３０３へと進む。ステップ３０３では、第一のＣＰＵ８が、当該チャンネル番号におけるアナログ放送の選局を行ない、受信映像が画面に表示される（ステップ３１１）。
【００４７】
しかし、ステップ３０２での判断の結果、最新のチャンネル管理領域９ａのチャンネル番号が、選局情報格納部９のアナログ放送のチャンネル番号管理領域９ｂに存在しない場合（Ｎｏ）、当該チャンネル番号は、アナログ放送ではなく、ステップ３０４へ進む。ステップ３０４では、第一のＣＰＵ８が、選局情報格納部９の同時番組情報管理領域９ｃを参照する。
【００４８】
次に、最新のチャンネル管理領域９ａのチャンネル番号における番組と同一の番組が、選局情報格納部９の同時番組情報管理領域９ｃに存在しているか否かを判断する（ステップ３０５）。ステップ３０５での判断の結果、当該チャンネル番号が、同時番組情報管理領域９ｃに存在している場合（Ｙｅｓ）、当該チャンネル番号における番組と同一の番組が、アナログ放送で同時番組放送されており、ステップ３０６へと進む。ステップ３０６では、第一のＣＰＵ８が、当該チャンネル番号におけるアナログ放送の選局を行ない、ステップ３１１で、受信映像が画面に表示される。
【００４９】
しかし、ステップ３０５での判断の結果、最新のチャンネル管理領域９ａのチャンネル番号における番組と同一の番組が、選局情報格納部９の同時番組情報管理領域９ｃに存在しない場合（Ｎｏ）、当該チャンネル番号における番組と同一の番組が、アナログ放送で同時番組放送されておらず、ステップ３０７へ進む。ステップ３０７では、第一のＣＰＵ８が、選局情報格納部９の当該チャンネル情報の放送局チャンネル番組管理領域９ｃを参照する。
【００５０】
次に、最新のチャンネル管理領域９ａのチャンネル番号と同一の放送局が、選局情報格納部９の放送局チャンネル番号管理領域９ｄに存在しているか否かを判断する（ステップ３０８）。ステップ３０８での判断の結果、当該チャンネル番号と同一の放送局が、放送局チャンネル番号管理領域９ｄに存在している場合（Ｙｅｓ）、アナログ放送されており、ステップ３０９へと進む。ステップ３０９では、第一のＣＰＵ８が、当該チャンネル番号におけるアナログ放送の選局を行ない、ステップ３１１で、受信映像が画面に表示される。
【００５１】
しかし、ステップ３０８での判断の結果、最新のチャンネル管理領域９ａのチャンネル番号と同一の放送局が、選局情報格納部９の放送局チャンネル番号管理領域９ｄに存在しない場合（Ｎｏ）、当該チャンネル番号における同一の放送局が、アナログ放送されておらず、ステップ３１０へ進む。ステップ３１０では、第一のＣＰＵ８が、起動中を意味するオンスクリーンディスプレイ（ＯＳＤ：Ｏｎ  Ｓｃｒｅｅｎ  Ｄｉｓｐｌａｙ）出力を行ない、ステップ３１１でメッセージが画面に表示される。
【００５２】
なお、ステップ３０３、３０６およびステップ３０９の場合のアナログ放送を表示している間、第一のＣＰＵ８が、ディジタル放送の起動中を意味するＯＳＤ出力を指示し、ＯＳＤ表示を行なうことが好ましい。
【００５３】
図４には図示しないが、ステップ３０６、３０９およびステップ３１０において、アナログ放送あるいはＯＳＤ表示をしている間に、第二のＣＰＵ６は、選局情報格納部９の最新のチャンネル管理領域９ａのチャンネル情報のディジタル放送受信を行なう。デコード等完了後、第一のＣＰＵ８に通信により、ディジタル放送の起動完了が伝達される。次に、第一のＣＰＵ８は、スイッチ１３をディジタル放送に切り替え、ディジタル放送を画面に表示する。
【００５４】
以上のように、本実施の形態１においては、アナログ放送選局用の第一のＣＰＵと入力端子からアナログチューナーとアナログ復調回路とアナログ映像信号処理回路を経てスイッチへ至る第一の経路を設けた。また、ディジタル放送選局用の第二のＣＰＵ６と入力端子からディジタルチューナーとディジタル復調回路とトランスポートデコーダとディジタル復号処理回路を経てスイッチへ至る第二の経路を設けた。さらに、第一のＣＰＵ８が同時番組情報を管理する構成とした。
【００５５】
かかる構成により、セット起動時は、ディジタル放送と同時番組放送されているアナログ放送を優先して画面表示することができる。これにより、起動時の選局番組の画面表示時間を短縮することができる。また、セット待機時においても、第一のＣＰＵのみ起動させておけばよいため、セット待機時の消費電力を減少させることができる。
【００５６】
本実施形態において、図２に示すように、選局情報格納部を複数の領域を持つ一つのメモリとしたが、本発明はこの一例に限定されない。それぞれの領域は、第一のＣＰＵから参照が可能であれば、別々のメモリに格納されていてもよい。
【産業上の利用可能性】
【００５７】
本発明にかかる多方式対応受信装置は、電源起動時にアナログ放送を優先して選局することで受信映像表示時間を短縮でき、テレビジョン組み込み型受信装置等として有用である。
【図面の簡単な説明】
【００５８】
【図１】本発明の実施の形態１における多方式対応受信装置の構成を示すブロック図である。
【図２】本発明の実施の形態１における多方式対応受信装置における番組情報格納部の構成を示す説明図である。
【図３】本発明の実施の形態１における多方式対応受信装置のチャンネル選局時のシステム制御動作フローチャート図である。
【図４】本発明の実施の形態１における多方式対応受信装置の電源起動時のシステム制御動作フローチャート図である。
【図５】従来における多方式対応受信装置の構成を示すブロック図である。
【符号の説明】
【００５９】
１、１０１        ＲＦ変調波入力端子
２、１０２        ディジタル放送用チューナー
３、１０３        ディジタル復調回路
４、１０４        トランスポートデコーダ
５、１０５        ディジタル復号信号処理回路
６、１０６        第二のＣＰＵ
７、１０７        ＥＰＧ情報格納部
８、１０８        第一のＣＰＵ
９、１０９        選局情報格納部
９ａ              最新のチャンネル管理領域
９ｂ              アナログ放送のチャンネル番号管理領域
９ｃ              同時番組情報管理領域
９ｄ              放送局チャンネル番号管理領域
１０、１１０      アナログ放送用チューナー
１１、１１１      アナログ復調回路
１２、１１２      アナログ映像信号処理回路
１３、１１３      スイッチ
１１４            制御部ＣＰＵ
【図１】
2005191937.tif 000003
【図２】
2005191937.tif 000004
【図３】
2005191937.tif 000005
【図４】
2005191937.tif 000006
【図５】
2005191937.tif 000007